(57)【要約】  【課題】  プロテクタ本体に別体の蓋をロック結合する際、ロック位置がずれないようにする。  【解決手段】  蓋に設けるロック片のうち、１つのロック片あるいは対向位置の２つのロック片の形状を他のロック片の形状と相違させて位置合わせガイド用の特定ロック片とすると共に他のロック片は同一形状としておく一方、前記特定ロック片とロック結合するロック爪係止枠も他のロック爪係止枠と形状を相違させて位置合わせガイド用の特定ロック爪係止枠とすると共に、他のロック爪係止枠は同一形状としておき、前記プロテクタ本体に蓋をロック結合する時に、前記位置合わせガイド用の特定ロック片と特定ロック爪係止枠に位置合わせすると、他の全てのロック片が正規対向位置のロック爪係止枠と自動的に位置合わせされる構成としている。  【選択図】  図１
2006074843.tif 000002
【特許請求の範囲】
【請求項１】
自動車に配索するワイヤハーネスに外装するプロテクタであって、
樋形状のプロテクタ本体と、該プロテクタ本体にワイヤハーネスを挿通させた後に取り付ける別体の蓋とを備え、これらプロテクタ本体の幅方向の両側壁の対向位置には側壁外面の上端に沿って両側対向位置に長さ方向に間隔をあけて多数のロック爪係止枠を突設していると共に、前記蓋の幅方向の対向位置に長さ方向に沿って間隔をあけて下端にロック爪を設けたロック片を下向きに多数突設しており、該蓋のロック片と前記プロテクタ本体のロック爪係止枠の位置とは互いに対向位置に設けており、
前記蓋に設けるロック片のうち、少なくとも１つのロック片の形状を他のロック片の形状と相違させて位置合わせガイド用の特定ロック片とすると共に他のロック片は同一形状としておく一方、
前記特定ロック片とロック結合するロック爪係止枠も他のロック爪係止枠と形状を相違させて位置合わせガイド用の特定ロック爪係止枠とすると共に、他のロック爪係止枠は同一形状としていることを特徴とするプロテクタ。
【請求項２】
前記特定ロック片は、他のロック片より下方へ突出させると共に、その下端にロック爪を突出させる一方、前記特定ロック爪係止枠は他のロック爪係止枠より上下高さを大としている請求項１に記載のプロテクタ。
【請求項３】
前記特定ロック片は、他のロック片より下方へ突出させると共に、その上下方向の中間位置よりロック爪を突出させる一方、前記特定ロック爪係止枠は先端幅が狭まる台形状枠とすると共に、他のロック爪係止枠はコ字状枠としている請求項１に記載のプロテクタ。
【請求項４】
前記特定ロック片および特定ロック爪係止枠は、前記蓋およびプロテクタ本体の長さ方向の略中央部に設けている請求項１乃至請求項３のいずれか１項に記載のプロテクタ。
【発明の詳細な説明】
【技術分野】
【０００１】
本発明は自動車に配索されるワイヤハーネスに外装するプロテクタに関するものである。
【背景技術】
【０００２】
自動車に配索するワイヤハーネスには、経路規制や重要電線の保護機能強化のために、所要の配索領域では、樹脂成形品からなるプロテクタに貫通させている。該プロテクタは樋形状のプロテクタ本体と、該プロテクタ本体にワイヤハーネスの電線群を挿通させた後に、プロテクタ本体の上面開口を閉鎖する蓋を被せてロック結合している。
【０００３】
前記蓋はプロテクタ本体の一方側壁の上端から薄肉ヒンジ部を介してプロテクタ本体と一体成形している場合が多いが、プロテクタ本体が屈曲している場合には、蓋は分割して形成する必要があり、成形が複雑に成る等の理由から、プロテクタ本体と蓋とを別体で成形し、プロテクタ本体にワイヤハーネスを挿通させた後に、蓋を被せてロック結合する場合も多い。
【０００４】
前記プロテクタ本体と蓋とを別体とする場合、図６（Ａ）に示すように、プロテクタ本体１の両側壁１ａ、１ｂの外面上端に沿って所要間隔をあけてロック爪係止枠１ｃを突設する一方、蓋２の両側端からロック爪２ａを下端に突設したロック片２ｂを突設している。
【０００５】
プロテクタ本体１にはワイヤハーネスの電線が多数挿通されるため、蓋２には開き方向に負荷がかかる。よって、蓋２はプロテクタ本体１に強固に固定するには、ロック結合部を小さいピッチで設けて、ロック結合部の個数を多くする必要がある。
その場合、プロテクタ本体１と蓋２とが別体であると、図６（Ｂ）に示すように、プロテクタ本体のロック爪係止枠にロックする蓋２のロック片の位置ずれによる誤組付が発生しやすい。
【０００６】
蓋２の長さ方向先端のロック片をプロテクタ本体１の長さ方向先端のロック爪係止枠に係止して順番にロック結合していくとロック位置のずれは発生しないが、順番にロック結合していくと、電線群により蓋が押し上げられる負荷がかかり、蓋に上向きに捲れて作業性が悪くなる。
よって、プロテクタ本体１に対する蓋２のロック結合は、略同時に一括してロック結合できるようにすることが好ましく、多少の時間差が発生する場合には、長さ方向の中央部で最初にロック結合することが好ましい。
【０００７】
この種のプロテクタ本体に対する蓋のロック結合に関して、従来、特開平１１−１６８８１４号（特許文献１）において、蓋の捲れやガタつきの発生を防止するために、図７に示されるように、蓋２’の各ロック部２ａ’に長短２種類の係止案内突起２ｂ’、２ｃ’を設ける一方、本体１’の対向位置に嵌合案内部１ａ’を設けたプロテクタが開示されている。
しかしながら、特許文献１のロック結合も、各蓋の並列する各ロック部の形状は同一形状であると共に本体側のロック部の形状も同一形状であるため、蓋側のロック部とプロテクタ本体側のロック部とが多数並列されている場合、蓋の誤組付を防止する機構とはなっていない。また、前記係止案内突起および対向する嵌合案内部は単にロック係合部のガイド作用だけであるため、形状が複雑になるだけでロック結合力の強化には寄与していない。
【特許文献１】特開平１１−１６８８１４号公報
【発明の開示】
【発明が解決しようとする課題】
【０００８】
本発明は前記問題に鑑みてなされたもので、プロテクタ本体と蓋とが別体で形成されており、これらを多数並設したロック部で結合する場合、蓋側のロック部がプロテクタ本体側のロック部に位置ずれなく結合できるようにすることを課題としている。
【課題を解決するための手段】
【０００９】
前記課題を解決するため、本発明は、自動車に配索するワイヤハーネスに外装するプロテクタであって、
樋形状のプロテクタ本体と、該プロテクタ本体にワイヤハーネスを挿通させた後に取り付ける別体の蓋とを備え、これらプロテクタ本体の幅方向の両側壁の対向位置には側壁外面の上端に沿って両側対向位置に長さ方向に間隔をあけて多数のロック爪係止枠を突設していると共に、前記蓋の幅方向の対向位置に長さ方向に沿って間隔をあけて下端にロック爪を設けたロック片を下向きに多数突設しており、該蓋のロック片と前記プロテクタ本体のロック爪係止枠の位置とは互いに対向位置に設けており、
前記蓋に設けるロック片のうち、少なくとも１つのロック片の形状を他のロック片の形状と相違させて位置合わせガイド用の特定ロック片とすると共に他のロック片は同一形状としておく一方、
前記特定ロック片とロック結合するロック爪係止枠も他のロック爪係止枠と形状を相違させて位置合わせガイド用の特定ロック爪係止枠とすると共に、他のロック爪係止枠は同一形状としていることを特徴とするプロテクタを提供している。
【００１０】
前記したように、蓋側とプロテクタ本体側とに、他のロック片およびロック爪係止枠と形状を相違させた少なくとも１つの特定ロック片とロック爪係止枠を設けておくと、これらを組み合わせることに間違いが発生することがない。よって、これらを組み合わせると自動的に他のロック片とロック爪係止枠とが正規対応に配置させることができる。その結果、蓋と本体とのロック位置がズレることはなく、作業性の向上を図ることができる。
かつ、特定ロック片および特定ロック爪係止枠は位置合わせガイドの機能だけでなく、蓋と本体とをロック結合する本来の機能も持たせているため、プロテクタの形状を複雑化させずに、位置合わせ機能を付加することができる。
【００１１】
具体的には、前記特定ロック片は、他のロック片より下方へ突出させると共に、その下端にロック爪を突出させる一方、前記特定ロック爪係止枠は他のロック爪係止枠より上下高さを大としている。
あるいは、前記特定ロック片は、他のロック片より下方へ突出させると共に、その上下方向の中間位置よりロック爪を突出させる一方、前記特定ロック爪係止枠は先端幅が狭まる台形状枠とすると共に、他のロック爪係止枠はコ字状枠としている。
【００１２】
いずれの場合も、蓋側の特定ロック片は他のロック片よりは本体側への突出量を大としているため、まず、特定ロック片が本体側のロック爪係止枠に挿入される仮係止位置で保持した状態で、他のロック片とロック爪係止枠とが正規対向位置にあるか否かを目視できる。よって、蓋が本体に対して、例えば、長さ方向ではなく、幅方向に多少ずれていた場合等に蓋をプロテクタ本体に対して正規位置に調整した後にロック結合すると、ロック部に変形等が生じることなくスムーズなロック結合ができる。
【００１３】
前記特定ロック片方および特定ロック爪係止枠は、前記蓋およびプロテクタ本体の長さ方向の略中央部に設けることが好ましい。
あるいは、プロテクタを挿通させるワイヤハーネス幹線から支線が分岐し、該分岐する支線の引き出し用開口がプロテクタ本体の側壁に設けられている場合、この支線分岐位置に設けられたロック部を最初にロック結合することが好ましいため、該支線分岐位置に当たるロック片とロック爪係止枠とを特定ロック片と特定ロック爪係止枠とすることが好ましい。
【発明の効果】
【００１４】
上述したように、本発明のプロテクタでは、別体とした蓋とプロテクタ本体とをロック結合する際、蓋側のロック片とプロテクタ本体側のロック爪係止枠との位置合わせを正確にできる。よって、位置ずれが発生してロックをやり直す必要はなく、かつ、ロックをやり直した場合に発生しがちなロック部の損傷でプロテクタ自体が使用できなくなる等の問題を解消することができる。
かつ、ロック片とロック爪係止枠の形状を変えて位置合わせガイド用として利用し、別にガイド部を設けていないので、プロテクタの構造を複雑化させない。
【発明を実施するための最良の形態】
【００１５】
以下、本発明の実施形態を図面を参照して説明する。
図１は第１実施形態のプロテクタ１０を示す。プロテクタ１０は樹脂成形品からなる樋形状のプロテクタ本体１１と、該プロテクタ本体１１の上面開口を閉鎖する蓋１２とからなる。
【００１６】
プロテクタ本体１１の幅方向に対向する両側壁１１ａと１１ｂには幅方向に対向した位置に長さ方向の間隔をあけてロック爪係止枠１１ｃ、１１ｄを側壁外面の上端に沿って突設している。前記ロック爪係止枠１１ｃ、１１ｄは多数個を設けているが、図面の本実施形態では長さ方向に５個として簡略化して記載している。なお、多数とはプロテクタの両端部の係止枠を除いた係止枠が複数あることを指す。
前記ロック爪係止枠１１ｃ、１１ｄは側壁１１ａ、１１ｂよりコ字枠状に突設している。該ロック爪係止枠１１ｃは両側枠１１ｃ１、１１ｃ２の先端に連結された中央枠部１１ｃ３の下面がロック爪係止面となる。ロック爪係止枠１１ｄも同一形状である。
【００１７】
前記ロック爪係止枠１１ｃと１１ｄのうち、長さ方向の中央部で幅方向に対向するロック爪係止枠は、その上下長さを他と比較して略２倍の長さとし、特定ロック爪係止枠１１ｅ、１１ｆとしている。この特定ロック爪係止枠１１ｅ、１１ｆは目視によっても他のロック爪係止枠１１ｃ、１１ｄとは相違することが明白に認識できる形状となっている。
【００１８】
前記蓋１２は平板形状で、その幅方向に対向する位置で、かつ、長さ方向に間隔をあけて、幅方向の両端より下向きにロック片１２ａ、１２ｂを突設し、その下端にロック爪１２ｃ、１２ｄを突設している。これらロック片１２ａはプロテクタ本体のロック爪係止枠１１ｃと対向位置にあり、ロック片１２ｂはロック爪係止枠１１ｄと対向位置に設定している。
【００１９】
前記ロック片のうち、前記特定ロック爪係止枠１１ｅ、１１ｆと対向位置のロック片は、その下方突出量を他のロック片より略２倍程度長くして特定ロック片１２ｅ、１２ｆとしている。これら特定ロック片１２ｅ、１２ｆの下端にロック爪１２ｇ、１２ｈを設けている。この特定ロック片１２ｅ、１２ｆは目視によっても他のロック片１２ａ、１２ｂとは相違することが明白に認識できる形状となっている。
【００２０】
前記構成としたプロテクタ１０に、図２に示すように、プロテクタ本体１１にワイヤハーネスの電線群Ｗを挿通させた後に、蓋１２をプロテクタ本体１１の上面開口に被せて、ロック片をプロテクタ本体１１のロック爪係止枠に挿入係止してロック結合していく。
【００２１】
其の際、まず、蓋１２の他のロック片１２ａ、１２ｂと形状が相違する特定ロック片１２ｅ、１２ｆをプロテクタ本体１１の特定ロック爪係止枠１１ｅ、１１ｆに位置合わせする。特定ロック片１２ｅ、１２ｆの長さが他のロック片よりも長いため、最初に特定ロック片１２ｅ、１２ｆの下端のロック爪１２ｇ、１２ｈが特定ロック爪係止枠１１ｅ、１１ｆの枠内に挿入され、図３（Ａ）（Ｂ）に示す仮係止状態に保持される。
【００２２】
この状態で、蓋１２の他のロック片１２ａ、１２ｂはプロテクタ本体１１の他のロック爪係止枠１１ｃ、１１ｄの上面に自動的に位置決めされ、この位置は正規組み合わせ位置となる。この位置合わせされた状態で蓋１２を押し下げると、一括してロック片１２ａ、１２ｂおよび特定ロック片１２ｅ、１２ｆがプロテクタ本体のロック爪係止枠１１ｃ、１１ｄおよび特定ロック爪係止枠１１ｅ、１１ｆに挿入され、図４に示すように、前記ロック片の下端のロック爪がロック爪係止枠の係止面に係止される。
なお、作業員が蓋１２のロック片をプロテクタ本体１１のロック爪係止枠に順次押し込んでいく場合には、まず、特定ロック片１２ｅ、１２ｆを特定ロック爪係止枠１１ｅ、１１ｆに押し込んで係止し、その後、他のロック片１２ａ、１２ｂを他のロック爪係止枠１１ｃ、１１ｄに押し込む。
【００２３】
このように、蓋１２をプロテクタ本体１１にロック結合する際、位置合わせガイド用の特定ロック片１２ｅ、１２ｆを、プロテクタ本体１１の特定ロック爪係止枠１１ｅ、１１ｆに位置合わせすることにより、他のロック片がロック爪係止枠と対向する位置に自動的に位置合わせさせることができ、位置ずれが生じることなく、作業性よく蓋１２をプロテクタ本体１１にロック結合することができる。
【００２４】
図５は第２実施形態のプロテクタ１０’を示す。  
プロテクタ１０’では、蓋１２’の特定ロック片１２ｅ’、１２ｆ’は、他のロック片１２ａ’、１２ｂ’より第１実施形態と同様に下方突出量を長くしていると共に、該ロック片１２ｅ’、１２ｆ’の上下位置にロック爪１２ｇ’、１２ｈ’を突出させている。該ロック爪１２ｇ’、１２ｈ’の高さ位置は他のロック片１２ａ’、１２ｂ’の下端のロック爪１２ｃ’、１２ｄ’と同一高さ位置としている。
【００２５】
一方、プロテクタ本体１１’の特定ロック爪係止枠１１ｅ’、１１ｆ’は、両側枠１１ｅ１’、１１ｅ２’について説明すると、両側枠１１ｅ１’と１１ｅ２’を先端に向けて近接方向に傾斜させて、先端を中央枠１１ｅ３’と連続させ、平面視で台形枠としている。中央枠１１ｅ３’の長さは他のロック爪係止枠１１ｃ’、１１ｄ’の中央枠と同一長さに設定している。
このように、特定ロック爪係止枠１１ｅ’、１１ｆ’の形状を台形枠状とし、他のロック爪係止枠１１ｃ’、１１ｄ’のコ字状枠と形状を相違させていることで、目視により特定ロック爪係止枠であることが容易に確認できるようにしている。
【００２６】
第２実施形態においても、他と形状が相違する特定ロック片１２ｅ’、１２ｆ’を他と形状が相違する特定ロック爪係止枠１１ｅ’、１１ｆ’に位置合わせすることが容易にできる。他の構成および作用は第１実施形態と同一であるため、説明を省略する。
【図面の簡単な説明】
【００２７】
【図１】本発明の第１実施形態のプロテクタの斜視図である。
【図２】前記プロテクタにワイヤハーネスの電線群を挿通した状態を示す斜視図である。
【図３】（Ａ）は特定ロック片を特定ロック爪係止枠に挿入した仮係止状態を示す斜視図、（Ｂ）は断面図である。
【図４】プロテクタ本体に蓋をロック結合した状態を示す正面図である。
【図５】第２実施形態のプロテクタの斜視図である。
【図６】（Ａ）は従来のプロテクタの斜視図、（Ｂ）は問題点を示す図面である。
【図７】他の従来例のプロテクタを示す図面である。
【符号の説明】
【００２８】
１０  プロテクタ
１１  プロテクタ本体
１１ｃ、１１ｄ  他のロック爪係止枠
１１ｅ、１１ｆ  特定ロック爪係止枠
１２  蓋
１２ａ、１２ｂ  他のロック片
１２ｃ、１２ｄ、１２ｇ、１２ｆ  ロック爪
１２ｅ、１２ｆ  特定ロック片
【図１】
2006074843.tif 000003
【図２】
2006074843.tif 000004
【図３】
2006074843.tif 000005
【図４】
2006074843.tif 000006
【図５】
2006074843.tif 000007
【図６】
2006074843.tif 000008
【図７】
2006074843.tif 000009